(57)【要約】【課題】横向き寝の体位で排尿しても漏れない男性用吸収パッドを提供する。【解決手段】バックシート２と、吸収体３と、液透過性のトップシートとを下からこの順に重ねて、バックシート２とトップシートの周縁部を接合して接合部Ａ１〜Ａ４を形成するとともに、トップシートの長手方向Ｌ２前後端のうち一端からそのトップシートの中央部に向かって液不透過性の第１ギャザーシート４を設けるとともに、他端方向から中央部に向かってトップシートを山折りに折り返して第２ギャザーシートを形成し、第１ギャザーシート４と第２ギャザーシートとの先端部を重ね合わせるようにして形成する。そして、吸収体両側部であって、かつトップシート上の長手方向Ｌ２に撥水帯を設け、男性用吸収パッドＰを長手方向Ｌ２に折り返して接合部Ａ１，Ａ３，Ａ４をさらに接合し、吸収体両側部にポケットＰＯを形成する。【選択図】図１
2005103052.tif 000002
【特許請求の範囲】
【請求項１】
バックシートと、吸収体と、液透過性のトップシートとを下からこの順に重ねて、前記バックシートと前記トップシートの周縁部を接合して接合部を形成するとともに、前記トップシート上に、開口部を有するギャザーシートを設け、該ギャザーシートの開口部から男性性器を挿入して保持する男性用吸収パッドにおいて、
前記トップシートの長手方向前後端のうち一端から該トップシートの中央部に向かって液不透過性の第１ギャザーシートを設けるとともに、他端方向から中央部に向かって前記トップシートを山折りに折り返して第２ギャザーシートを形成し、
前記開口部は使用時に開口して男性性器を挿入可能に前記第１ギャザーシートと前記第２ギャザーシートとの先端部を重ね合わせるようにして形成し、
前記吸収体両側部であって、かつ前記トップシートの長手方向に撥水帯を設け、
前記男性用吸収パッドを前記長手方向に折り返して前記第１ギャザーシートと前記第２ギャザーシートとともに前記接合部をさらに接合し、前記吸収体両側部にポケットを形成することを特徴とする男性用吸収パッド。
【請求項２】
バックシートと、吸収体と、液透過性のトップシートとを下からこの順に重ねて、前記バックシートと前記トップシートの周縁部を接合して接合部を形成するとともに、前記トップシート上に、開口部を有するギャザーシートを設け、該ギャザーシートの開口部から男性性器を挿入して保持する男性用吸収パッドにおいて、
前記トップシートの長手方向前後端のうち一端から該トップシートの中央部に向かって液不透過性の第１ギャザーシートを設けるとともに、他端方向からトップシート長手方向の中央部に向かって延出する第２ギャザーシートを前記トップシート上に設け、前記開口部は使用時に開口して男性性器を挿入可能に両者の先端部を重ね合わせるようにして形成し、
前記吸収体両側部であって、かつ前記トップシートの長手方向に撥水帯を設け、
前記男性用吸収パッドを前記長手方向に折り返して前記接合部をさらに接合し、前記吸収体両側部にポケットを形成することを特徴とする男性用吸収パッド。
【請求項３】
バックシートと、吸収体と、液透過性のトップシートを下からこの順に重ね、かつ前記吸収体両側部を覆うように液不透過性の撥水シートを設けて前記バックシートと前記撥水シートの周縁部を接合して接合部を形成するとともに、前記トップシート上に、開口部を有するギャザーシートを設け、該ギャザーシートの開口部から男性性器を挿入して保持する男性用吸収パッドであって、
前記トップシートの長手方向前後端のうち一端から該トップシートの中央部に向かって液不透過性の第１ギャザーシートを設けるとともに、他端方向から中央部に向かって前記トップシートを山折りに折り返して第２ギャザーシートを形成し、
前記開口部は使用時に開口して男性性器を挿入可能に前記第１ギャザーシートと前記第２ギャザーシートとの先端部を重ね合わせるようにして形成し、
前記男性用吸収パッドを前記長手方向に折り返して前記第１ギャザーシートと前記第２ギャザーシートとともに前記接合部をさらに接合し、前記吸収体両側部にポケットを形成することを特徴とする男性用吸収パッド。
【請求項４】
バックシートと、吸収体と、液透過性のトップシートを下からこの順に重ね、かつ前記吸収体両側部を覆うように液不透過性の撥水シートを設けて前記バックシートと前記撥水シートの周縁部を接合して接合部を形成するとともに、前記トップシート上に、開口部を有するギャザーシートを設け、該ギャザーシートの開口部から男性性器を挿入して保持する男性用吸収パッドであって、
前記トップシートの長手方向前後端のうち一端から該トップシートの中央部に向かって液不透過性の第１ギャザーシートを設けるとともに、他端方向からトップシート長手方向の中央部に向かって延出する第２ギャザーシートを前記トップシート上に設け、前記開口部は使用時に開口して男性性器を挿入可能に両者の先端部を重ね合わせるようにして形成し、
前記男性用吸収パッドを前記長手方向に折り返して前記第１ギャザーシートと前記第２ギャザーシートとともに前記接合部をさらに接合し、前記吸収体両側部にポケットを形成することを特徴とする男性用吸収パッド。
【請求項５】
前記撥水帯が撥水性シートであることを特徴とする請求項１または２に記載の男性用吸収パッド。
【請求項６】
前記撥水帯は、前記トップシートに撥水加工を施して形成されることを特徴とする請求項１または２に記載の男性用吸収パッド。
【請求項７】
前記第２ギャザーシートが前記トップシートの前後端のうち他端方向からトップシートの中央方向に向かって延出していることを特徴とする請求項２または４に記載の男性用吸収パッド。
【請求項８】
前記男性用吸収パッドを前記長手方向に折り返した部分の前記トップシートと前記第２ギャザーシートとの間に隙間を設けて通液部とすることを特徴とする請求項７に記載の男性用吸収パッド。
【請求項９】
前記バックシートが液不透過性であることを特徴とする請求項１ないし８のいずれかに記載の男性用吸収パッド。
【請求項１０】
前記バックシートが液透過性であることを特徴とする請求項１ないし８のいずれかに記載の男性用吸収パッド。
【発明の詳細な説明】
【技術分野】
【０００１】
本発明は、バックシートと、吸収体と、液透過性のトップシートとを下からこの順に重ねて、バックシートとトップシートの周縁部を接合し、トップシート上にギャザーシートを備え、そのギャザーシートで男性性器を挿入するための開口部を形成し、挿入した男性性器を保持する男性用吸収パッドに関する。詳しくは、本発明は、漏れ防止効果が高く、着用が簡単な男性用吸収パッドに関する。
【背景技術】
【０００２】
従来の男性用吸収パッドは、液透過性のトップシートと、そのトップシートと同一形状の液不透過性のバックシートと、これら両シート間に配置された吸収体とを備えてなる矩形のものである。そして、男性用吸収パッドを使用するときは、矩形の男性用吸収パッドの一隅を中心として略円錐形に丸めながら、陰茎にその男性用吸収パッドを巻き付けるようにして装着した後、男性用吸収パッドの外周をテープなどで固定して使用していた。
【０００３】
しかし、この種の男性用吸収パッドは、男性用吸収パッドを陰茎に巻き付けるように直接装着して使用するため、着用者が違和感や締めつけ感を生じ、使用しにくいという問題があった。一方、着用者が違和感や締めつけ感を生じないように弱く巻きつけると、男性用吸収パッドが陰茎から外れやすくなり、尿漏れが生じるという問題があった。
【０００４】
そこで、図１２（Ａ），（Ｂ）に示すような男性用吸収パッドが開示されている（例えば、特許文献１）。すなわち、液透過性のトップシート１１と、液不透過性のバックシート１２と、これら両シート間に配置された吸収体１３と、前記トップシート１１の上方に液不透過性のギャザーシート１４とを備える。ギャザーシート１４は開口部１５を有し、その開口部１５の周囲に弾性部材１６を配置してなる。
【０００５】
そして男性用吸収パッドの開口部１５より男性性器を挿入して保持し、排泄物をトップシート１を介して吸収体１３で吸収する。これによって、男性用吸収パッドを陰茎に直接巻き付けて装着することがなくなり、着用者に違和感が生じることが軽減される。
【０００６】
一方、液透過性のトップシートと液不透過性のバックシートと、これら両シート間に配置された吸収体を備えた別の男性用吸収パッドは、矩形の吸収パッドを長手方向に３つ折にし、長手方向と直角方向で一端部から約１／３の位置を折り返して固定したサック状の男性用吸収パッドが提案されている（例えば、特許文献２）。
【特許文献１】特表２００２−５０９４６２号公報
【特許文献２】特開２００２−５２０３６号公報
【０００７】
しかし、前者のような男性用吸収パッドでは、着用者が仰向けになって寝たとき、尿が吸収体１３に完全に吸収されずに着用者の腹側にあるギャザーシート１４に達する。しかし、ギャザーシート１４は液不透過性であるため、尿は吸収されずにギャザーシート１４の表面を流れて開口部１５に達し、そこから外部へ漏れ出して着用者の着衣、またはこの男性用吸収パッドと併用する紙おむつを汚してしまうという問題があった。
また、後者のような男性用吸収パッドでは、男性性器を固定する構造がないので、外れてしまい、尿漏れの原因となるという問題があった。
【０００８】
そこで、発明者は、特願２００３−１５５６０１号にて、液透過性のトップシートと、バックシートと、これら両シート間に配置された吸収体と、少なくとも一部がトップシート上に位置するギャザーシートを備え、そのギャザーシートで男性性器を挿入するための開口部を形成した男性用吸収パッドにおいて、その男性用吸収パッドはトップシートを内側として折り返してトップシートの周縁部どおしを貼り合わせて排尿ポケットを形成し、その排尿ポケット内の折り返し部分にてトップシートとギャザーシートとの間に隙間を設けて通液部とすることによって、男性性器から一気に排出された尿が排尿ポケット内の吸収体に円滑に吸収することを特徴とする男性用吸収パッドを提案している。
【発明の開示】
【発明が解決しようとする課題】
【０００９】
しかし、このような構成では、着用者が排尿した場合、吸収体両側部の貼り合わせ部分（接合部）から尿が浸み出し、尿漏れの原因となるという問題があった。
そこで、この発明の目的は、横向き寝の体位で排尿しても漏れない男性用吸収パッドを提供することにある。
【００１０】
【課題を解決するための手段】
【００１１】
このため、請求項１に記載の発明は、バックシートと、吸収体と、液透過性のトップシートとを下からこの順に重ねて、前記バックシートと前記トップシートの周縁部を接合して接合部を形成するとともに、前記トップシート上に、開口部を有するギャザーシートを設け、該ギャザーシートの開口部から男性性器を挿入して保持する男性用吸収パッドにおいて、
前記トップシートの長手方向前後端のうち一端から該トップシートの中央部に向かって液不透過性の第１ギャザーシートを設けるとともに、他端方向から中央部に向かって前記トップシートを山折りに折り返して第２ギャザーシートを形成し、
前記開口部は使用時に開口して男性性器を挿入可能に前記第１ギャザーシートと前記第２ギャザーシートとの先端部を重ね合わせるようにして形成し、
前記吸収体両側部であって、かつ前記トップシートの長手方向に撥水帯を設け、
前記男性用吸収パッドを前記長手方向に折り返して前記第１ギャザーシートと前記第２ギャザーシートとともに前記接合部をさらに接合し、前記吸収体両側部にポケットを形成することを特徴とする。
【００１２】
請求項１の発明によれば、トップシートの長手方向前後端のうち一端からそのトップシートの中央部に向かって液不透過性の第１ギャザーシートを設けるとともに、他端方向から中央部に向かってトップシートを山折りに折り返して第２ギャザーシートを形成し、開口部は第１ギャザーシートと第２ギャザーシートとの先端部を重ね合わせるようにして形成され、吸収体両側部であって、かつトップシートの長手方向に撥水帯を設け、男性用吸収パッドを長手方向に折り返して第１ギャザーシートと前記第２ギャザーシートとともに接合部をさらに接合し、吸収体両側部にポケットを形成するので、使用者が横向きで排尿した場合、吸収体両側部にまで尿が浸み込まず、また、ポケットに一時的に排出された尿を滞留させ、尿漏れしない男性用吸収パッドとなる。また、トップシートと第２ギャザーシートを一体に設けるので簡単な構成で横向き寝の体位で排尿しても尿漏れしない男性用吸収パッドとなる。
【００１３】
請求項２の発明は、バックシートバックシートと、吸収体と、液透過性のトップシートとを下からこの順に重ねて、前記バックシートと前記トップシートの周縁部を接合して接合部を形成するとともに、前記トップシート上に、開口部を有するギャザーシートを設け、該ギャザーシートの開口部から男性性器を挿入して保持する男性用吸収パッドにおいて、
前記トップシートの長手方向前後端のうち一端から該トップシートの中央部に向かって液不透過性の第１ギャザーシートを設けるとともに、他端方向からトップシート長手方向の中央部に向かって延出する第２ギャザーシートを前記トップシート上に設け、前記開口部は使用時に開口して男性性器を挿入可能に両者の先端部を重ね合わせるようにして形成し、
前記吸収体両側部であって、かつ前記トップシートの長手方向に撥水帯を設け、
前記男性用吸収パッドを前記長手方向に折り返して前記接合部をさらに接合し、前記吸収体両側部にポケットを形成することを特徴とする。
【００１４】
請求項２の発明によれば、トップシートの長手方向前後端のうち一端からそのトップシートの中央部に向かって液不透過性の第１ギャザーシートを設けるとともに、他端方向からトップシート長手方向の中央部に向かって延出する第２ギャザーシートをトップシート上に設け、開口部は両者の先端部を重ね合わせるようにして形成され、吸収体両側部であって、かつトップシートの長手方向に撥水帯を設け、男性用吸収パッドを長手方向に折り返して接合部をさらに接合し、吸収体両側部にポケットを形成するので、使用者が横向きで排尿した場合、吸収体両側部にまで尿が浸み込まず、また、ポケットに一時的に排出された尿を滞留させ、横寝しても尿漏れしない男性用吸収パッドとなる。
【００１５】
請求項３の発明は、バックシートと、吸収体と、液透過性のトップシートを下からこの順に重ね、かつ前記吸収体両側部を覆うように液不透過性の撥水シートを設けて前記バックシートと前記撥水シートの周縁部を接合して接合部を形成するとともに、前記トップシート上に、開口部を有するギャザーシートを設け、該ギャザーシートの開口部から男性性器を挿入して保持する男性用吸収パッドであって、
前記トップシートの長手方向前後端のうち一端から該トップシートの中央部に向かって液不透過性の第１ギャザーシートを設けるとともに、他端方向から中央部に向かって前記トップシートを山折りに折り返して第２ギャザーシートを形成し、
前記開口部は使用時に開口して男性性器を挿入可能に前記第１ギャザーシートと前記第２ギャザーシートとの先端部を重ね合わせるようにして形成し、
前記男性用吸収パッドを前記長手方向に折り返して前記接合部をさらに接合し、前記吸収体両側部にポケットを形成することを特徴とする。
【００１６】
請求項３の発明によれば、トップシートの長手方向前後端のうち一端からそのトップシートの中央部に向かって液不透過性の第１ギャザーシートを設けるとともに、他端方向から中央部に向かってトップシートを山折りに折り返して第２ギャザーシートを形成し、開口部は第１ギャザーシートと第２ギャザーシートとの先端部を重ね合わせるようにして形成され、吸収体両側部であって、かつトップシート上の長手方向に撥水帯を設け、男性用吸収パッドを長手方向に折り返して第１ギャザーシートと第２ギャザーシートとともに接合部をさらに接合し、吸収体両側部にポケットを形成するので、使用者が横向きで排尿した場合、吸収体両側部にまで尿が浸み込まず、また、ポケットに一時的に排出された尿を滞留させ、尿漏れしない男性用吸収パッドとなる。また、トップシートと第２ギャザーシートを一体に設けるので簡単な構成で横向き寝の体位で排尿しても尿漏れしない男性用吸収パッドとなる。
【００１７】
請求項４の発明は、バックシートと、吸収体と、液透過性のトップシートを下からこの順に重ね、かつ前記吸収体両側部を覆うように液不透過性の撥水シートを設けて前記バックシートと前記撥水シートの周縁部を接合して接合部を形成するとともに、前記トップシート上に、開口部を有するギャザーシートを設け、該ギャザーシートの開口部から男性性器を挿入して保持する男性用吸収パッドであって、
前記トップシートの長手方向前後端のうち一端から該トップシートの中央部に向かって液不透過性の第１ギャザーシートを設けるとともに、他端方向からトップシート長手方向の中央部に向かって延出する第２ギャザーシートを前記トップシート上に設け、前記開口部は使用時に開口して男性性器を挿入可能に両者の先端部を重ね合わせるようにして形成し、
前記男性用吸収パッドを前記長手方向に折り返して前記第１ギャザーシートと前記第２ギャザーシートとともに前記接合部をさらに接合し、前記吸収体両側部にポケットを形成することを特徴とする。
【００１８】
請求項４の発明によれば、トップシートの長手方向前後端のうち一端からそのトップシートの中央部に向かって液不透過性の第１ギャザーシートを設けるとともに、他端方向からトップシート長手方向の中央部に向かって延出する第２ギャザーシートをトップシート上に設け、開口部は両者の先端部を重ね合わせるようにして形成され、吸収体両側部であって、かつトップシート上の長手方向に撥水帯を設け、男性用吸収パッドを長手方向に折り返して第１ギャザーシートと第２ギャザーシートとともに接合部をさらに接合し、吸収体両側部にポケットを形成するので、使用者が横向きで排尿した場合、吸収体両側部にまで尿が浸み込まず、また、ポケットに一時的に排出された尿を滞留させ、横寝しても尿漏れしない男性用吸収パッドとなる。
【００１９】
請求項５の発明は、請求項１または２に記載の男性用吸収パッドにおいて、前記撥水帯が撥水性シートであることを特徴とする。
【００２０】
請求項５の発明によれば、撥水帯が撥水性シートであるので、男性用吸収パッドを容易に製造することが可能となる。
【００２１】
請求項６の発明は、請求項１または２に記載の男性用吸収パッドにおいて、前記撥水帯は、前記トップシートに撥水加工を施して形成されることを特徴とする。
【００２２】
請求項６の発明によれば、撥水帯は、トップシートに撥水加工を施して形成されるので、部品点数が少なく構成が簡単になる。
【００２３】
請求項７の発明は、請求項２または４に記載の男性用吸収パッドにおいて、前記第２ギャザーシートが前記トップシートの前後端のうち他端方向からトップシートの中央方向に向かって延出していることを特徴とする。
【００２４】
請求項７の発明によれば、第２ギャザーシートがトップシートの前後端のうち他端方向からトップシートの中央方向に向かって延出しているので、第２ギャザーシートをトップシートの他端に確実に固定する。
【００２５】
請求項８の発明は、請求項７に記載の男性用吸収パッドにおいて、前記男性用吸収パッドを前記長手方向に二つ折りにした部分の前記トップシートと前記第２ギャザーシートとの間に隙間を設けて通液部とすることを特徴とする。
【００２６】
請求項８の発明によれば、男性用吸収パッドを長手方向に二つ折りにした部分のトップシートと第２ギャザーシートとの間に隙間を設けて通液部とするので、第２ギャザーシートは接合部において、トップシートと接合されているので、尿は液透過性の第２ギャザーシートを透過してトップシートと第２ギャザーシート間に設けた通液部を通って折り返し部分の吸収体に円滑に吸収される。
【００２７】
請求項９の発明は、請求項１ないし８のいずれかに記載の男性用吸収パッドにおいて、前記バックシートが液不透過性であることを特徴とする。
【００２８】
請求項９の発明によれば、バックシートが液不透過性であるので、吸収体が吸収した尿を外部に漏らすことがない。
【００２９】
請求項１０の発明は、請求項１ないし８のいずれかに記載の男性用吸収パッドにおいて、前記バックシートが液透過性であることを特徴とする。
【００３０】
請求項１０の発明によれば、バックシートが液透過性であるので、展開型紙おむつと併用して使用する場合、展開型紙おむつの吸収体も使用でき、尿の吸収量が大きくなる。
【発明の効果】
【００３１】
請求項１に記載の発明によれば、トップシートの長手方向前後端のうち一端からそのトップシートの中央部に向かって液不透過性の第１ギャザーシートを設けるとともに、他端から中央部に向かってトップシートを山折りに折り返して第２ギャザーシートを形成し、開口部は第１ギャザーシートと第２ギャザーシートとの先端部を重ね合わせるようにして形成され、吸収体両側部であって、かつトップシート上の長手方向に撥水帯を設け、男性用吸収パッドを長手方向に二つ折りにして接合部をさらに接合し、吸収体両側部にポケットを形成するので、使用者が横向きで排尿した場合、吸収体両側部にまで尿が浸み込まず、また、ポケットに一時的に排出された尿を滞留させ、尿漏れしない男性用吸収パッドを提供することができる。また、トップシートと第２ギャザーシートを一体に設けるので簡単な構成で横向き寝の体位で排尿しても尿漏れしない男性用吸収パッドを提供することができる。
【００３２】
請求項２に記載の発明によれば、トップシートの長手方向前後端のうち一端からそのトップシートの中央に向かって液不透過性の第１ギャザーシートを設けるとともに、他端方向からトップシート長手方向の中央部に向かって延出する第２ギャザーシートをトップシート上に設け、開口部は両者の先端部を重ね合わせるようにして形成され、吸収体両側部であって、かつトップシート上の長手方向に撥水帯を設け、男性用吸収パッドを長手方向に二つ折りにして接合部をさらに接合し、吸収体両側部にポケットを形成するので、使用者が横向きで排尿した場合、吸収体両側部にまで尿が浸み込まず、また、ポケットに一時的に排出された尿を滞留させ、横向き寝の体位で排尿しても尿漏れしない男性用吸収パッドを提供することができる。
【００３３】
請求項３に記載の発明によれば、トップシートの長手方向前後端のうち一端からそのトップシートの中央部に向かって液不透過性の第１ギャザーシートを設けるとともに、他端方向から中央部に向かってトップシートを山折りに折り返して第２ギャザーシートを形成し、開口部は第１ギャザーシートと第２ギャザーシートとの先端部を重ね合わせるようにして形成され、吸収体両側部であって、かつトップシート上の長手方向に撥水帯を設け、男性用吸収パッドを長手方向に二つ折りにして接合部をさらに接合し、吸収体両側部にポケットを形成するので、接合部が撥水性素材のみで構成されるので、より一層、男性用吸収パッドの側部からの尿漏れを防止し、使用者が横向きで排尿した場合、吸収体両側部にまで尿が浸み込まず、また、ポケットに一時的に排出された尿を滞留させ、尿漏れしない男性用吸収パッドを提供することができる。また、トップシートと第２ギャザーシートを一体に設けるので簡単な構成で横向き寝の体位で排尿しても尿漏れしない男性用吸収パッドを提供することができる。
【００３４】
請求項４に記載の発明によれば、トップシートの長手方向前後端のうち一端からそのトップシートの中央部に向かって液不透過性の第１ギャザーシートを設けるとともに、他端方向からトップシート長手方向の中央部に向かって延出する第２ギャザーシートをトップシート上に設け、開口部は両者の先端部を重ね合わせるようにして形成され、吸収体両側部であって、かつトップシート上の長手方向に撥水帯を設け、男性用吸収パッドを長手方向に二つ折りにして接合部をさらに接合し、吸収体両側部にポケットを形成するので、接合部が撥水性素材のみで構成されるので、より一層、男性用吸収パッドの側部からの尿漏れを防止し、使用者が横向きで排尿した場合、吸収体両側部にまで尿が浸み込まず、また、ポケットに一時的に排出された尿を滞留させ、横寝しても尿漏れしない男性用吸収パッドを提供することができる。
【００３５】
請求項５に記載の発明によれば、撥水帯が撥水性シートであるので、男性用吸収パッドを容易に製造することができる。
【００３６】
請求項６に記載の発明によれば、撥水帯は、トップシートに撥水加工を施して形成されるので、部品点数が少なく簡単な構成の男性用吸収パッドを提供することができる。
【００３７】
請求項７に記載の発明によれば、第２ギャザーシートがトップシートの前後端のうち他端方向からトップシートの中央方向に向かって延出しているので、第２ギャザーシートをトップシートの他端に確実に固定することができ、尿漏れしない男性用吸収パッドを提供することができる。
【００３８】
請求項８に記載の発明によれば、男性用吸収パッドを長手方向に二つ折りにした部分のトップシートと第２ギャザーシートとの間に隙間を設けて通液部とするので、第２ギャザーシートは接合部において、トップシートと接合されているので、尿は液透過性の第２ギャザーシートを透過してトップシートと第２ギャザーシート間に設けた通液部を通って折り返し部分の吸収体に円滑に吸収され、漏れない男性用吸収パッドを提供することができる。
【００３９】
請求項９に記載の発明によれば、バックシートが液不透過性であるので、吸収体が吸収した尿を外部に漏らすことがなく、下着などを汚すことがない。
【００４０】
請求項１０に記載の発明によれば、バックシートが液透過性であるので、展開型紙おむつと併用して使用する場合、展開型紙おむつの吸収体も使用でき、尿の吸収量が大きくすることができ、夜中に着用した場合、朝まで交換せずに使用することができる。
【発明を実施するための最良の形態】
【００４１】
以下、図面を参照しつつ、この発明の実施の形態につき説明する。
図１は、この発明の一例としての男性用吸収パッドの平面図、図２は、そのＸ１−Ｘ２線断面図、図３は、そのＹ１−Ｙ２線断面図、図４は、そのＺ１−Ｚ２線断面図である。男性用吸収パッドＰは、それぞれ矩形の液不透過性のバックシート２と、吸収体３と、液透過性のトップシート１とを下からこの順に重ねて、バックシート２とトップシート１の周縁部Ａ１〜Ａ４をホットメルト接着剤などで接合する。なお、吸収体３は、バックシート２に比べて、接合部Ａ１〜Ａ４分だけ小さい。また、トップシート１は、バックシート２よりも小さい構成となっている。このことによって、後述するポケットＰＯからの尿の浸透をバックシート２によって防止することができる。
【００４２】
そして、トップシート１の長手方向Ｌ２の前後端のうち一端すなわち接合部Ａ１からトップシート１の長手方向Ｌ２の中央部に向かって液不透過性の第１ギャザーシート４を設けるとともに、他端方向すなわち接合部Ａ２方向からトップシート１の長手方向Ｌ２の中央部に向かってトップシート１を山折りに折り返して第２ギャザーシート５を形成する。その折り返し部分の内側には弾性部材である糸ゴム９Ｂを伸張状態で貼り付ける。
なお、開口部６は第１ギャザーシート４と第２ギャザーシート５との先端部どうしを重ね合わせるようにして形成される。
【００４３】
また、図３、図４に示すように、吸収体側縁部ＶＥであって、かつトップシート１の長手方向Ｌ２上に撥水シート（撥水帯）２０を設ける。そして、男性用吸収パッドＰを折り返し線Ｆにて二つ折にして接合部Ａ１，Ａ３，Ａ４をホットメルト接着剤などでさらに接合して重ねあわせて、排尿ポケット７を形成するとともに、吸収体側縁部ＶＥにポケットＰＯを形成する。そして、排尿ポケット７に溜まった尿の漏れを防止するための液不透過性の補助ギャザーシート１０を吸収パッドの折り返し側の接合部Ａ２近傍に備える。
【００４４】
そして、男性用吸収パッドＰを長手方向Ｌ２に二つ折りにして第１ギャザーシート４と２ギャザーシート５とともに接合部Ａ１〜Ａ４をさらに接合し、吸収体両側部ＶＥにポケットＰＯを形成する。
【００４５】
この補助ギャザーシート１０の先端には、糸ゴムなどの弾性部材９Ｃを備え、補助ギャザーシート１０の素材は、前述の例の第１ギャザーシート４、第２ギャザーシート５と同様である。この例の第２ギャザーシート５は、両側を接合部Ａ３，Ａ４にて接合されることによって男性用吸収パッドＰ１に一体化している。
【００４６】
なお、撥水シート２０に代えて、吸収体両側部（ポケットＰＯ形成部分）ＶＥ上のトップシート１に撥水加工を施して形成してもよい。
【００４７】
なお、図１〜４に示す例では開口部６を男性用吸収パッドＰの第１ギャザーシート４側に偏在させて形成しているが、長手方向Ｌ２の中央に形成されてもよい。そして、第１ギャザーシート４と第２ギャザーシート５の先端には、それぞれ糸ゴムの弾性部材９Ａ，９Ｂが１本ずつ、幅方向Ｌ１に沿って伸張状態で接合されている。
【００４８】
なお、第１ギャザーシート４の先端と第２ギャザーシート５の先端に備える弾性部材９Ａ，９Ｂは、１本でも複数本でもよいが、複数本備えると、より一層、男性性器を押さえ込むことができ、男性性器と男性用吸収パッドＰとの隙間をなくすことができ、より一層漏れない男性用吸収パッドを提供することができる。
【００４９】
本発明において使用されるトップシート１は、液透過性の不織布、織布、多孔性プラスチックフィルム等であり、その構成繊維は、ポリプロピレン、ポリエチレン、ポリエステル、ナイロン等の単繊維、またはポリエステル、ポリプロピレン、ポリエチレン、ナイロン等の２成分以上からなる複合繊維等であり、特には、ポリエステル／ポリエステル、ポリエステル／ポリエチレン、ポリプロピレン／ポリエチレンの複合繊維が強度の面から好ましいが、特に制限をうけるものではない。
【００５０】
本発明において使用されるバックシート２は、ポリエチレン等の液不透過性フィルム、液体不透過性フィルムと不織布あるいは織布を貼り合わせた素材等である。より好ましくは、ムレを防止するために、液体を透過させない程度の多数の微孔を設けたポリエチレン製フィルムや、熱可塑性樹脂にフィラーを加えて延伸した透湿性のあるフィルム、あるいはこれらのフィルムの外側に不織布、織布を貼り合わせた複合シートを用いると、吸収パッド内の余分な水分が気体の状態で吸収パッド外に放出されるため、ムレやカブレが起こりにくくなり、透湿性や肌触り等を快適なものとすることができる。
【００５１】
本発明において使用される吸収体３は、綿状パルプ、高吸収性ポリマー（以後省略してＳＡＰという）、親水性シート等からなり、特に制限を受けるものではない。また、本発明において使用される吸収体は、従来の男性用吸収パッドその他の吸収性物品において通常使用される公知の吸収性材料から作られている。
【００５２】
すなわち、綿状パルプ、レーヨン等の吸収性繊維とＳＡＰを混合した単層もしくは多層のマット、あるいは、吸収性繊維からなるマットの層間にＳＡＰを均一に配置したもの等を親水性シートでくるんで形成したものを使用することができる。
【００５３】
綿状パルプとしては、化学パルプシートもしくは、機械パルプシートを粉砕機で解繊することにより得られるものが用いられる。パルプ原料としては、針葉樹に限らず、広葉樹、わら、竹およびケナフも適用される。また、古紙パルプを使用しても良い。この綿状パルプの使用量は、目的とする吸収体により、例えば、単独で用いるか、複数積層して用いるか、他の吸収材を併用するかなどにより異なるが、一般的には、５０〜６００ｇ／ｍ2にされる。
【００５４】
ＳＡＰとしては、デンプン系、セルロース系、合成ポリマー系が挙げられる。すなわち、デンプン−アクリル酸（塩）グラフト共重合体、デンプン−アクリル酸エチルグラフト共重合体のケン化物、デンプン−メタクル酸メチルグラフト共重合体のケン化物、デンプン−アクリロニトリルグラフト共重合体のケン化物、デンプン−アクリルアミドグラフト共重合体のケン化物、アクリル酸（塩）重合体、アクリル酸で架橋されたポリエチレンオキシド、ナトリウムカルボキシメチルセルローズの架橋物、ポリビニールアルコール−無水マレイン酸反応物の架橋物などが使用可能である。
【００５５】
吸収体３の圧縮方法としては、周面が平滑なロールなどにより、吸収体の密度がその全体にわたり実質的に均等になるように連続する面状に圧縮してもよいし、周面が凹凸状であるロールなどにより、吸収体の密度が部分的に異なり、尿や体液を縦方向及び斜め方向に導く模様配列のエンボスとなるように圧縮してもよい。エンボスの場合、圧縮部、非圧縮部は、連続、非連続のいずれであってもよい。
【００５６】
本発明で使用される第１ギャザーシート４と補助ギャザーシート１０は、撥水加工した不織布または織布、ポリエチレン等の液体不透過性フィルム、ならびにその液体不透過性フィルムと不織布または織布を貼り合わせた素材等が使用できる。液体不透過性のフィルムを使用する場合、ムレを防止するために液体分子を透過させない程度の多数の微孔を設けたポリエチレン製フィルムや、熱可塑性樹脂にフィラーを加えて延伸した透湿性のあるフィルムが好ましい。
【００５７】
不織布、織布を使用する場合、その構成繊維は、ポリプロピレン、ポリエチレン、ポリエステル、ナイロン等の単繊維、または、ポリエステル、ポリプロピレン、ポリエチレン、ナイロン等の２成分以上からなる複合繊維等であり、特には、ポリエステル／ポリエステル、ポリエステル／ポリエチレン、ポリプロピレン／ポリエチレンの複合繊維が強度の面から好ましいが、特に制限をうけるものではない。
【００５８】
本発明で使用される第２ギャザーシート５は、トップシート１同様、液透過性の不織布、織布、多孔性プラスチックフィルム等であり、その構成繊維は、ポリプロピレン、ポリエチレン、ポリエステル、ナイロン等の単繊維、またはポリエステル、ポリプロピレン、ポリエチレン、ナイロン等の２成分以上からなる複合繊維等であり、特には、ポリエステル／ポリエステル、ポリエステル／ポリエチレン、ポリプロピレン／ポリエチレンの複合繊維が強度の面から好ましいが、特に制限をうけるものではない。
【００５９】
弾性部材９Ａ，９Ｂは、天然、合成ゴム、ウレタンなどの糸状、ひも状、ネット状、平型形状の通常の男性用吸収パッド、通常の吸収性物品に使用されている伸縮弾性体を使用することができる。使用される弾性部材の本数は１本あるいは複数であっても構わない。伸縮弾性体は伸長状態で配置され、ホットメルト、澱粉系またはＣＭＣ（カルボキシメチルセルロース）などの水溶性の糊又は、流動性の高い接着剤、あるいは熱や超音波等による溶着により、撥水性素材に接着固定される。
【００６０】
撥水シート２０は、第１ギャザーシート４と同様に、撥水加工した不織布または織布、ポリエチレン等の液体不透過性フィルム、ならびにその液体不透過性フィルムと不織布または織布を貼り合わせた素材等が使用できる。液体不透過性のフィルムを使用する場合、ムレを防止するために液体分子を透過させない程度の多数の微孔を設けたポリエチレン製フィルムや、熱可塑性樹脂にフィラーを加えて延伸した透湿性のあるフィルムが好ましい。
【００６１】
このように構成された男性用吸収パッドＰを使用するときは、例えば、図５に示すように、着用者が立った状態で男性性器Ｂを下向きにして男性用吸収パッドＰの開口部６より挿入して男性性器Ｂを第２ギャザーシート５が陰嚢と折り返していない側にあるトップシート１との間となるように収納して男性用吸収パッドＰに保持する。
【００６２】
このとき、弾性部材９Ａによって第１ギャザーシート４が陰茎の表面上部に、第２ギャザーシート５が陰嚢の裏面にフィットし、男性性器Ｂ全体が男性用吸収パッドＰにしっかりと保持される。さらに、弾性部材９Ｃによって補助ギャザーシート１０が陰嚢の裏面にフィットする。
【００６３】
そして、排尿して一度に多量の尿が排出された場合、男性性器から一気に排出された尿は、第２ギャザーシート５を透過して排尿ポケット７内に受け止められ、トップシート１と第２ギャザーシート５間に設けた排尿ポケット７に一時的に溜まり吸収体３に円滑に吸収することができる。また、折り返した側の接合部Ａ２においてトップシート１上に設けた液不透過性の補助ギャザーシート１０によって、排尿ポケット７内から尿が溢れ出すのを防止することができる。
【００６４】
また、この発明の男性用吸収パッドＰの吸収体側縁部ＶＥには、ポケットＰＯを形成し、かつトップシート１上に撥水シート２０を貼着しているので、横向きになった状態で排尿した場合にも吸収体３に吸収されない尿はポケットＰＯに一時的に滞留し、外部に漏れ出すことがない。
【００６５】
ところで、男性性器Ｂを上向きにして男性用吸収パッドＰの開口部６から挿入して第２ギャザーシート５とトップシート１との間に男性性器Ｂを挿入するようにしてもよい。この場合には、男性用吸収パッドＰを図５とは、上下１８０°向きを変えて使用する。すなわち、着用者が仰向けの状態で男性性器Ｂを上向きにして男性用吸収パッドＰの開口部６より挿入して男性性器Ｂを第２ギャザーシート５とトップシート１との間に挿入して保持する。すると、図５と同様にして、弾性部材９Ａを備えた第１ギャザーシート４と、弾性部材９Ｂを備えた第２ギャザーシート５が男性性器Ｂをしっかりと包み込む。
【００６６】
この場合も、男性性器Ｂを第２ギャザーシート５とトップシート１との間に挿入して保持するので、排尿の際、一時に多量の尿が排出されても、第１ギャザーシート４と第２ギャザーシート５によって外部に尿が漏れ出すことなく、吸収体３に吸収保持される。
【００６７】
なお、上述の例では、バックシート２は液不透過性であったが、この発明はこれに限定されるものではなく、バックシート２が液透過性であってもよい。この場合、必要に応じて撥水シート２０を接合部Ａ３，Ａ４まで延長し横寝したときの排尿による横漏れを防止するとよい。
バックシート２が液透過性の男性用吸収パッドＰの場合、展開型紙おむつの後身頃のトップシート上に着用者の臀部を載せた後、前身頃を折り畳んで、男性用吸収パッドＰを装着した着用者の腹部に当て、両面テープ、メカニカルファスナーなどの止着部材を展開型紙おむつの前身頃のバックシート上に固定して展開型紙おむつを装着してもよい。すると、展開型紙おむつの吸収体にも尿を吸収させることができ、装着時間を長くすることができ、夜中に介護者などが交換する手間が省ける。
【００６８】
さらに展開型紙おむつに代えて、男性用吸収パッドＰをパンツ型紙おむつやパンツ型の下着などとともに使用してもよい。したがって、男性用吸収パッドＰのバックシート２には、粘着性の両面テープや、メカニカルファスナーのオス材が備えられていると着用者の動きによる男性用吸収パッドＰのズレを防止することができ好適である。
【００６９】
この例の男性用吸収パッドは、男性性器Ｂをフリーな状態にしたまま保持することができるので、着用者に与える違和感を軽減することができる。加えて、この発明の男性用吸収パッドＰは、弾性部材９Ａを備えた第１ギャザーシート４と弾性部材９Ｂを備えた第２ギャザーシート５によって男性性器Ｂをしっかり保持するので、男性用吸収パッドＰが着用者の動きに追随することができる。
【００７０】
さらに、この例において好適には、図１中、幅Ｌ１方向の中央で２つ折りにして包装すると、開封して展開型紙おむつなどに取り付ける際に、中心を決定しやすいという利点があるとともに、吸収パッドの中央を男性性器Ｂに当てやすい。加えて、２つ折りにした吸収パッドの折跡による谷間を伝って液状の排泄物を吸収体３の中心に向かって誘導しやすくなる。
【００７１】
次にこの発明の別の例を図６を用いて説明する。この例の男性用吸収パッドＰ１は、前述の例のものと比べて第２ギャザーシート５Ａの形状と取り付けが異なる。それ以外の構成については、前述の例と同様であるので説明を省略する。この例の男性用吸収パッドＰは、第２ギャザーシート５Ａがトップシート１の中央部付近に接合部Ａ２方向から接合部Ａ１方向に向かって接合部Ａ３，Ａ４に固定されて形成されるとともに、接合部Ａ１からトップシート１の長手方向Ｌ２中央部に向かって延出する第１ギャザーシート４を設けて両者を重ね合わせるようにして開口部６を形成する。このようにして形成された男性用吸収パッドＰ１の着用方法は、前述の例と同様であるので説明を省略する。
【００７２】
なお、図７に示すように、第２ギャザーシート５Ｂがトップシート１の前後端のうち他端すなわち接合部Ａ２からトップシート１に沿って形成され、トップシート１の中央部に向かって延出させるとともに、一端すなわち接合部Ａ１からトップシート１の長手方向Ｌ２中央部に向かって延出する第１ギャザーシート４を設けて両者を重ね合わせるように開口部６を形成して男性用吸収パッドＰ２を形成してもよい。
【００７３】
また、図７の変形例として図８に示すように、第２ギャザーシート５Ｃをトップシート１に沿って形成せずに、トップシート１と第２ギャザーシート５Ｃとの間に隙間を設けて通液部８としてもよい。
なお、男性性器Ｂを第２ギャザーシート５とトップシート１との間に挿入しているので、着用者が仰向けの状態で尿を排泄したときにも、通液部８に溜まった尿が順次吸収体３に吸収保持される。このとき、弾性部材９Ｂによって第２ギャザーシート５は裏側から陰嚢にフィットするので、外部に尿が漏れ出すことがない。
【００７４】
さらにこの発明の男性用吸収パッドの別の例を図９，１０に示す。この例の男性用吸収パッドＰ４は、図１〜４に示した男性用吸収パッドＰと比べて、接合部Ａ３，Ａ４と吸収体両側部ＶＥの構成のみが異なり、それ以外の構成は同様であるので説明を省略する。
この例の男性用吸収パッドＰ４は、トップシート１上に液不透過性の撥水シート２０を吸収体両側部ＶＥを覆うように重ねてバックシート２と撥水シート２０の周縁部を接合して接合部Ａ１〜Ａ４を形成するようにする。詳しくは、トップシート１の両側部を吸収体３とバックシート２との間に挟み込むようにして設け、撥水シート２０をバックシート２の側部にまで延長して、バックシート２と接合して接合部Ａ３，Ａ４とする。なお、トップシート１は、接合部Ａ３，Ａ４の途中まで延出するような構成にしてもよい。
【００７５】
さらにこの発明の男性用吸収パッドの別の例として、図１１に示すように、男性用吸収パッドＰ５のトップシート１上に撥水シート２０を設ける代わりに、接合部Ａ３，Ａ４を矢印Ｆのように開口部６側に折り返して使用してもよい。この場合、接合部Ａ３，Ａ４には、ホットメルト接着剤などを添付して、開口部６側のバックシート２および第１ギャザーシート４に貼り付ける。このようにすると、液不透過性のバックシート２がポケットＰＯ部分に溜まった尿が漏れ出すのを防止することができる。もちろん、男性用吸収パッドＰ５のトップシート１上に撥水シート２０を設けるのに加えて、接合部Ａ３，Ａ４を開口部６側に折り返して使用してもよい。このようにすると、一層、尿漏れを防止する効果を奏する。
【００７６】
なお、第１ギャザーシート４の先端と第２ギャザーシート５の先端とは重なり合っているが、略同じ位置にあってもよい。
【００７７】
さらに、上述の例では男性用吸収パッドＰ〜Ｐ５を矩形に形成したが、この発明はこれに限定されるものではなく、角部を切り欠いた矩形としてもよい。このようにすると、男性用吸収パッドＰ〜Ｐ４を装着したときに、切り欠いた部分が股部のフィット感を向上させることができる。もちろん、トップシート１、バックシート２の角部は切り欠かず、矩形の吸収体３の角部のみを切り欠いても同様の効果が得られる。
【００７８】
また、これまでに説明した複数の例において、撥水シート（撥水帯）２０は、トップシート１の上に設けたが、この発明はこれに限定されるものではなく、トップシート１と吸収体３との間に設けてもよい。
【図面の簡単な説明】
【００７９】
【図１】この発明の男性用吸収パッドの平面図である。
【図２】図１の男性用吸収パッドのＸ１−Ｘ２線断面図である。
【図３】図１の男性用吸収パッドのＹ１−Ｙ２線断面図である。
【図４】図１の男性用吸収パッドのＺ１−Ｚ２線断面図である。
【図５】図１の男性用吸収パッドに男性性器を挿入した様子を説明するための概略断面図である。
【図６】この発明の別の男性用吸収パッドの例を示す断面図である。
【図７】この発明のさらに別の男性用吸収パッドの例を示す断面図である。
【図８】図７の男性用吸収パッドの変形例を示す断面図である。
【図９】この発明の別の例の男性用吸収パッドの幅方向断面図である。
【図１０】図９の男性用吸収パッドの長手方向断面図である。
【図１１】図１に示す男性用吸収パッドの側部の接合部を開口部側に折り返した例を示す概略平面図である。
【図１２】従来の男性用吸収パッドの（Ａ）は斜視図、（Ｂ）は概略断面図を示す。
【符号の説明】
【００８０】
１    トップシート
２    バックシート
３    吸収体
４    第１ギャザーシート
５，５Ａ，５Ｂ    第２ギャザーシート
６    開口部
７    排尿ポケット
８    通液部
９Ａ，９Ｂ，９Ｃ    弾性部材
１０    補助ギャザーシート
２０    撥水シート（撥水帯）
Ａ１    接合部（一端、周縁部）
Ａ２    接合部（他端、周縁部）
Ａ３，Ａ４    接合部（周縁部）
Ｂ    男性性器
Ｆ    折り返し線
Ｐ，Ｐ１，Ｐ２，Ｐ３，Ｐ４，Ｐ５    男性用吸収パッド
ＰＯ    ポケット
【図１】
2005103052.tif 000003
【図２】
2005103052.tif 000004
【図３】
2005103052.tif 000005
【図４】
2005103052.tif 000006
【図５】
2005103052.tif 000007
【図６】
2005103052.tif 000008
【図７】
2005103052.tif 000009
【図８】
2005103052.tif 000010
【図９】
2005103052.tif 000011
【図１０】
2005103052.tif 000012
【図１１】
2005103052.tif 000013
【図１２】
2005103052.tif 000014